(57)【要約】【課題】簡単な構造で、簡単な操作により、一般 的なテープカッターのようにテープを切断できるとともに、着実に非接着部分を形成する機能を有する安価なテープカッターおよびテープ切断冶具を提供することを目的とする。【解決手段】回転リール保持部１０１と、引き出されたテープを切断する際に一時的に粘着テープを保持するテープ一時保持部と、テープ切断部と、前記テープ一時保持部とテープ切断部との間に位置するテープ下垂れ防止部を備え、テープ切断部の切断刃部の部分に一時的に接着させて手前に引き出す動作をすると、テープ下垂れ防止部が、テープが下に垂れることを防止し、この状態でテープを離すと、下から支えられていた部分のテープがテープ一時保持部とテープ切断部との間において、上側に湾曲して、着実に非粘着部を形成する。【選択図】図１
2006290531.tif 000002
【特許請求の範囲】
【請求項１】
粘着テープが取り付けられた回転リールを回転可能に保持する 回転リール保持部１０１と、前記回転リールに取り付けられた粘着テープから引き出されたテープを切断する際に一時的に粘着テープを保持するテープ一時保持部と、切断刃部と軸部よりなるテープ切断部と、前記テープ一時保持部とテープ切断部との間に位置するテープ下垂れ防止部を備え、
前記回転リールに取り付けられた粘着テープを引き出して、前記テープ切断部の切断刃部の部分に一時的に接着させて手前に引き出す動作（以下「テープ接着手前引き出し動作」ともいう）をすると前記テープ切断部が前記テープ一時保持部より手前側に離れ、前記テープ切断部が前記テープ一時保持部より離れる動きに連動して、前記テープ下垂れ防止部が、テープ一時保持部よりテープ切断部の方へ移動するとともに前記テープ下垂れ防止部の先端でテープと接触してテープが下に垂れることを防止し、この状態でテープを離す動作（以下「テープ接着手前引き出し後の動作」という）をするとテープ切断部と前記テープ下垂れ防止部が前記テープを引き出す前の位置に戻り、この動作に連動して、テープ一時保持部とテープ切断部において接着してその中間部をテープ下垂れ防止部により、下から支えられていた部分のテープがテープ一時保持部とテープ切断部との間において、上側に湾曲するように構成されていることを特徴とするテープカッター。
【請求項２】
前記テープ切断部の軸部は、弾性体よりなり、前記粘着テープを前記テープ切断部の切断刃部の部分に一時的に接着させて手前に引き出す動作をすると前記テープ切断部は前記テープ切断部自体が手前側に湾曲しながら、前記テープ一時保持部より手前側に離れ、前記テープ切断部が前記テープ一時保持部より離れる動きに連動して、前記テープ下垂れ防止部が、テープ一時保持部よりテープ切断部の方へ移動するとともにテープが下に垂れることを防止し、この状態でテープを離すと湾曲していたテープ切断部が自力で戻ることを特徴とする請求項１に記載のテープカッター。
【請求項３】
前記テープ下垂れ防止部は、弾性体よりなり、前記テープ接着手前引き出し動作をすると前記テープ切断部が前記テープ一時保持部より手前側に離れ、前記テープ切断部が前記テープ一時保持部より離れる動きに連動して、前記テープ下垂れ防止部が、テープ一時保持部よりテープ切断部の方へ前記テープ下垂れ防止部自体が湾曲しながら移動するとともにテープが下に垂れることを防止し、この状態でテープを離す 動作をするとテープ切断部が前記テープを引き出す前の位置に戻るとともに、前記テープ下垂れ防止部は自力で前記テープを引き出す前の位置に戻ることを特徴とする、請求項１に記載のテープカッター。
【請求項４】
前記テープ切断部の軸部と前記テープ下垂れ防止部は共に、  弾性体よりなり、前記テープ接着手前引き出し動作をすると前記テープ切断部は前記テープ切断部自体が湾曲しながら、前記テープ一時保持部より手前に離れ、前記テープ切断部が前記テープ一時保持部より離れる動きに連動して、前記テープ下垂れ防止部が、テープ一時保持部よりテープ切断部の方へ前記テープ下垂れ防止部自体が湾曲しながら移動するとともにテープが下に垂れることを防止し、この状態でテープを離すと湾曲していた前記テープ切断部と前記テープ下垂れ防止部が自力で戻ることを 特徴とする請求項１に記載のテープカッター。
【請求項５】
前記テープ切断部の軸部は板状または棒状の弾性体であることを特徴とする請求項２に記載のテープカッター。
【請求項６】
前記テープ切断部の軸部は板バネであることを特徴とする請求項２に記載のテープカッター。
【請求項７】
前記テープ下垂れ防止部は板状または棒状の弾性体であることを特徴とする請求項３に記載のテープカッター。
【請求項８】
前記テープ下垂れ防止部は板バネであることを特徴とする請求項３に記載のテープカッター。
【請求項９】
前記テープ切断部の軸部は板バネであり、前記テープ下垂れ防止部は板バネまたは棒バネであることを特徴とする請求項４に記載のテープカッター。
【請求項１０】
前記テープ切断部の軸部と前記テープ下垂れ防止部は共に板バネであることを特徴とする請求項４に記載のテープカッター。
【請求項１１】
前記テープ下垂れ防止部の先端であって、前記テープ接着手前引き出し動作をすると、引き出されたテープの粘着面に接触・接着する部分は極小であって、前記テープ接着手前引き出し後の動作により前記テープ下垂れ防止部の先端に接触していたテープが上方に湾曲しようとすると、確実に前記接触・接着が分離することを特徴とする請求項１乃至１０のいずれか一つに記載のテープカッター。
【請求項１２】
前記テープ切断部は、切断刃部の上に、保護カバーを備え、前記保護カバーは前記テープ引き出し動作をした際に引き出されたテープは前記カバーの上面に一時的に接着するとともに、前記テープ引き出し動作のために、指で、前記テープを前記テープ切断部に押し付ける場合には、前記指は主に前記保護カバーにあたり、切断刃部には強くあたらないように構成されていることを特徴とする請求項１乃至１０のいずれか一つに記載のテープカッター。
【請求項１３】
前記テープ切断部は、切断刃部の上に、保護カバーを備え、前記保護カバーは前記テープ引き出し動作をした際に引き出されたテープは前記カバーの上面に一時的に接着するとともに、前記テープ引き出し動作のために、指で、前記テープを前記テープ切断部に押し付ける場合には、前記指は主に前記保護カバーにあたり、切断刃部には強くあたらないように構成されていることを特徴とする請求項１１に記載のテープカッター。
【請求項１４】
前記テープ切断部は、切断刃部の下に、指止め部を備え、前記指止め部は前記テープ引き出し動作をする際に前記テープを前記テープ切断部に押し付ける指とは別の指で挟むことを可能にするように構成されていることを特徴とする 請求項１乃至１０のいずれか一つに記載のテープカッター。
【請求項１５】
前記テープ切断部は、切断刃部の下に、指止め部を備え、前記指止め部は前記テープ引き出し動作をする際に前記テープを前記テープ切断部に押し付ける指とは別の指で挟むことを可能にするように構成されていることを特徴とする 請求項１１に記載のテープカッター。
【請求項１６】
前記テープ切断部は、切断刃部の下に指止め部を備え、 前記指止め部は前記テープ引き出し動作をする際に前記テープを前記テープ切断部に押し付ける指とは別の指で挟むことを可能にするように構成されていることを特徴とする 請求項１２に記載のテープカッター。
【請求項１７】
前記テープ切断部は、切断刃部の下に、指止め部を備え、前記指止め部は前記テープ引き出し動作をする際に前記テープを前記テープ切断部に押し付ける指とは別の指で挟むことを可能にするように構成されていることを特徴とする 請求項１３に記載のテープカッター。
【請求項１８】
前記切断刃部の下に、切断部を引き出した場合に一時保持部から一定の距離で止められるようにストッパー部が備えられたことを特徴とする請求項１乃至１７のいずれか一つに記載のテープカッター。
【請求項１９】
粘着テープが取り付けられた回転リールを回転可能に保持する 回転リール保持部１０１と、前記回転リールに取り付けられた粘着テープから引き出されたテープを切断する際に一時的に粘着テープを保持するテープ一時保持部とを備えるテープ保持具に固着して使用するテープ切断用冶具であって、テープ切断部とテープ下垂れ防止部を備え、
前記テープ保持具に固着された状態で、
前記テープカッターの回転リールに取り付けられた粘着テープを引き出して、前記テープ切断用冶具の切断刃部の部分に一時的に接着させて手前に引き出す動作をすると前記テープ切断部が前記テープ一時保持部より手前側に離れ、前記テープ切断部が前記テープ一時保持部より離れる動きに連動して、前記テープ下垂れ防止部が、テープ一時保持部よりテープ切断部の方へ移動するとともに前記テープ下垂れ防止部の先端でテープと接触してテープが下に垂れることを防止し、この状態でテープを離す動作をするとテープ切断部と前記テープ下垂れ防止部が前記テープを引き出す前の位置に戻り、この動作に連動して、テープ一時保持部とテープ切断部において接着してその中間部をテープ下垂れ防止部により下から支えられていた部分のテープがテープ一時保持部とテープ切断部との間において、上側に湾曲するように構成されていることを特徴とするテープ切断用冶具。
【請求項２０】
前記テープ接着手前引き出し動作前において、前記テープ下垂れ防止部および前記切断部がテープカッター本体に近接している状態のときは、前記テープ下垂れ防止部の先端は、
前記テープ一時保持部の最上部と前記切断部の最上部を結ぶ直線の下にあり、前記テープ接着手前引き出し後の 動作の直前においては、前記テープ下垂れ防止部の先端は、前記テープ一時保持部の最上部と前記切断部の最上部を結ぶ直線の上にあることを特徴とする請求項１乃至１８に記載のテープカッター。
【請求項２１】
前記テープ接着手前引き出し動作前において、前記テープ下垂れ防止部および前記切断部がテープカッター本体に近接している状態のときは、前記テープ下垂れ防止部の先端は、
前記テープ一時保持部の最上部と前記切断部の最上部を結ぶ直線の下にあり、前記テープ接着手前引き出し後の 動作の直前においては、前記テープ下垂れ防止部の先端は、前記テープ一時保持部の最上部と前記切断部の最上部を結ぶ直線の上にあることを特徴とする請求項１９に記載のテープ切断用冶具。
【発明の詳細な説明】
【技術分野】
【０００１】
本発明は、粘着テープ本体から所望の長さに引き出した 粘着テープを任意の長さに切る機能を有するとともに、粘着テープの端部を折り返して粘着面同士を重合させた非接着部を形成する機能を有するテープカッターおよびテープカッター用冶具に関する。
【背景技術】
【０００２】
粘着テープは手軽かつ、低コストで、種々のものを接着できるために、広く接着用に使用されている。この粘着テープを切断する道具としてテープカッターがある。一般的なテープカッターは、切断刃部を備えたカッター本体に、ロール状の粘着テープを装填する回転リールを軸支する構造となっている。このような構造のテープカッターは所望の長さに粘着テープを引き出し、切断刃部に引き出したテープを押し付けて切断する場合には非常に便利である。しかし、粘着テープを張る使用の仕方には、最初から、貼られたテープを剥離することが前提とされているものが多くある。例えば、コンビニで売られている弁当の蓋を粘着テープで留めるような場合である。このような場合、粘着テープの中でも粘着透明テープの場合には、一端、包装容器等に貼られてしまうと、その存在や、切断口を発見し、剥離することは、困難な場合が多い。特に、視力の低下した老人にはこのような作業は困難である。このような場合、粘着テープ片の端部を若干粘着面側に折り返して貼りあわせることにより、予め、非接着部分を形成してから対象物に接着すると剥がしやすい。
【０００３】
しかしながら、このような非接着部分を人の手で形成することは、粘着面同士を貼りあわせる作業であり、予想以上に困難を伴う。
【０００４】
このような事情から、一般的なテープカッターの構造を変えたり、特殊なテープ切断部を付加することによって、非接着部分を形成するテープカッターが提案されている。
しかし、それらのテープカッターは、あるものは、非常に 複雑な冶具が付加された高価なものであったり、簡単な冶具が付加されているものの場合には非接着面がうまく形成される確率が低いものがほとんどであり、いまだに、非接着面を形成できる安価なテープ カッターは市場には出回ってはいない状況である。
【特許文献１】特開２００４−２８４６８７
【発明の開示】
【発明が解決しようとする課題】
【０００５】
そこで、本発明は、任意の長さにテープを切断できるとともに、簡易な構造で、簡単な操作により、着実に非接着部分を形成する機能を有する安価なテープカッターおよびテープ切断冶具を提供することを目的とする。
【課題を解決するための手段】
【０００６】
前記目的を達成するため、請求項１に記載された発明は、テープカッターであって、
粘着テープが取り付けられた回転リールを回転可能に保持する回転リール保持部１０１と、前記回転リールに取り付けられた 粘着テープから引き出されたテープを切断する際に一時的に粘着テープを保持するテープ一時保持部と、切断刃部と軸部よりなるテープ切断部と、前記テープ一時保持部とテープ切断部との間に位置するテープ下垂れ防止部を備え、
前記回転リールに取り付けられた粘着テープを引き出して、前記テープ切断部の切断刃部の部分に一時的に接着させて手前に引き出す動作（以下「テープ接着手前引き出し動作」ともいう）をすると前記テープ切断部が前記テープ一時保持部より手前側に離れ、前記テープ切断部が前記テープ一時保持部より離れる動きに連動して、前記テープ下垂れ防止部が、テープ一時保持部よりテープ切断部の方へ移動するとともに前記テープ下垂れ防止部の先端でテープと接触してテープが下に垂れることを防止し、この状態でテープを離す動作（以下「テープ接着手前引き出し後の動作」という）をするとテープ切断部と前記テープ下垂れ防止部が前記テープを引き出す前の位置に戻り、この動作に連動して、テープ一時保持部とテープ切断部において接着してその中間部をテープ下垂れ防止部により下から支えられていた部分のテープが、テープ一時保持部とテープ切断部との間において、上側に湾曲するように構成されていることを特徴としている。
【０００７】
また、請求項２に記載の発明は、請求項１に記載のテープカッターに係り、
前記テープ切断部の軸部は、弾性体よりなり、前記粘着テープを前記テープ切断部の切断刃部の部分に一時的に接着させて手前に引き出す動作をすると前記テープ切断部は前記テープ切断部自体が手前側に湾曲しながら、前記テープ一時保持部より手前側に離れ、前記テープ切断部が前記テープ一時保持部より離れる動きに連動して、前記テープ下垂れ防止部が、テープ一時保持部よりテープ切断部の方へ移動するとともにテープが下に垂れることを防止し、この状態でテープを離すと湾曲していたテープ切断部が自力で戻ることを特徴とする。
【０００８】
また、請求項３に記載の発明は、請求項１に記載の 製造方法に係り、
前記テープ下垂れ防止部は、弾性体よりなり、前記テープ接着手前引き出し動作をすると前記テープ切断部が 前記テープ一時保持部より手前側に離れ、前記テープ切断部が前記テープ一時保持部より離れる動きに連動して、前記テープ下垂れ防止部が、テープ一時保持部よりテープ切断部の方へ前記テープ下垂れ防止部自体が湾曲しながら移動するとともにテープが下に垂れることを防止し、この状態でテープを離す動作をすると、テープ切断部が前記テープを引き出す前の位置に戻るとともに、前記テープ下垂れ防止部は自力で前記テープを引き出す前の位置に戻ることを特徴とする。
【０００９】
また、請求項４に記載の発明は、請求項１に記載の 製造方法に係り、
前記テープ切断部の軸部と前記テープ下垂れ防止部は共に、弾性体よりなり、前記テープ接着手前引き出し動作をすると前記テープ切断部は前記テープ切断部自体が湾曲しながら、前記テープ一時保持部より手前に離れ、前記テープ切断部が前記テープ一時保持部より離れる動きに連動して、前記テープ下垂れ防止部が、テープ一時保持部よりテープ切断部の方へ前記テープ下垂れ防止部自体が湾曲しながら移動するとともにテープが下に垂れることを防止し、この状態でテープを離すと、湾曲していた前記テープ切断部と前記テープ下垂れ防止部が自力で戻ることを特徴としている。
【００１０】
また、請求項５に記載の発明は、請求項２に記載のテープカッターに係り、前記テープ切断部の軸部は板状または棒状の弾性体であることを特徴としている。
【００１１】
また、請求項６に記載の発明は、請求項２に記載のテープカッターに係り、前記テープ切断部の軸部は板バネであることを特徴としている。
【００１２】
また、請求項７に記載の発明は、請求項３に記載のテープカッターに係り、
前記テープ下垂れ防止部は板状または棒状の弾性体であることを特徴としている。
【００１３】
また、請求項８に記載の発明は、請求項３に記載のテープカッターに係り、
前記テープ下垂れ防止部は板バネであることを特徴としている。
【００１４】
また、請求項９に記載の発明は、請求項４に記載のテープカッターに係り、
前記テープ切断部の軸部は板バネであり、前記テープ下垂れ防止部は板バネまたは棒バネであることを特徴としている。
【００１５】
また、請求項１０に記載の発明は、請求項４に記載のテープカッターに係り、
前記テープ切断部の軸部と前記テープ下垂れ防止部は共に板バネであることを特徴としている。
【００１６】
また、請求項１１に記載の発明は、請求項１乃至１０のいずれか一つに記載のテープカッターに係り、
前記テープ下垂れ防止部の先端であって、前記テープ接着手前引き出し動作をすると、引き出されたテープの粘着面に接触・接着する部分は極小であって、前記テープ接着手前引き出し後の動作により前記テープ下垂れ防止部の先端に接触していたテープが上方に湾曲しようとすると、確実に前記接触・接着が分離することを特徴とする。
【００１７】
また、請求項１２に記載の発明は、請求項１乃至１０のいずれか一つに記載のテープカッターに係り、
前記テープ切断部は、切断刃部の上に、保護カバーを備え、前記保護カバーは前記テープ引き出し動作をした際に引き出されたテープは前記カバーの上面に一時的に接着するとともに、前記テープ引き出し動作のために、指で、前記テープを前記テープ切断部に押し付ける場合には、前記指は主に前記保護カバーにあたり、切断刃部には強くあたらないように構成されていることを特徴としている。
【００１８】
また、請求項１３に記載の発明は、請求項１１に記載のテープカッターに係り、
前記テープ切断部は、切断刃部の上に、保護カバーを備え、前記保護カバーは前記テープ引き出し動作をした際に引き出されたテープは前記カバーの上面に一時的に接着するとともに、前記テープ引き出し動作のために、指で、前記テープを前記テープ切断部に押し付ける場合には、前記指は主に前記保護カバーにあたり、切断刃部には強くあたらないように構成されていることを特徴としている。
【００１９】
また、請求項１４に記載の発明は、請求項１乃至１０のいずれか一つに記載のテープカッターに係り、
前記テープ切断部は、切断刃部の下に、指止め部を備え、前記指止め部は前記テープ引き出し動作をする際に前記テープを前記テープ切断部に押し付ける指とは別の指で挟むことを可能にするように構成されていることを特徴としている。
【００２０】
また、請求項１５に記載の発明は、請求項１１に記載のテープカッターに係り、
前記テープ切断部は、切断刃部の下に、指止め部を備え、前記指止め部は前記テープ引き出し動作をする際に前記テープを前記テープ切断部に押し付ける指とは別の指で挟むことを可能にするように構成されていることを特徴としている。
【００２１】
また、請求項１６に記載の発明は、請求項１２に記載のテープカッターに係り、
前記テープ切断部は、切断刃部の下に指止め部を備え、前記指止め部は前記テープ引き出し動作をする際に前記テープを前記テープ切断部に押し付ける指とは別の指で挟むことを可能にするように構成されていることを特徴としている。
【００２２】
また、請求項１７に記載の発明は、請求項１３に記載のテープカッターに係り、前記テープ切断部は、切断刃部の下に、指止め部を備え、前記指止め部は前記テープ引き出し動作をする際に前記テープを前記テープ切断部に押し付ける指とは別の指で挟むことを可能にするように構成されていることを特徴とする。
【００２３】
また、請求項１８に記載の発明は、請求項１乃至１７のいずれか一つに記載のテープカッターに係り、
前記切断刃部の下に、切断部を引き出した場合に一時保持部から一定の距離で止められるようにストッパー部が備えられたことを特徴とする。
【００２４】
また、請求項１９に記載の発明は、粘着テープが取り付けられた回転リールを回転可能に保持する回転リール保持部１０１と、前記回転リールに取り付けられた粘着テープから引き出されたテープを切断する際に一時的に粘着テープを保持するテープ一時保持部とを備える前記テープ保持具に固着して使用するテープ切断用冶具であって、
テープ切断部とテープ下垂れ防止部を備え、
前記テープ保持具に固着された状態で、
前記テープカッターの回転リールに取り付けられた粘着テープを引き出して、前記テープ切断用冶具のテープ切断部の切断刃部の部分に一時的に接着させて手前に引き出す動作をすると前記テープ切断部が前記テープ一時保持部より手前側に離れ、前記テープ切断部が前記テープ一時保持部より離れる動きに連動して、前記テープ下垂れ防止部が、テープ一時保持部よりテープ切断部の方へ移動するとともに前記テープ下垂れ防止部の先端でテープと接触してテープが下に垂れることを防止し、この状態でテープを離す動作をするとテープ切断部と前記テープ下垂れ防止部が前記テープを引き出す前の位置に戻り、この動作に連動して、テープ一時保持部とテープ切断部において接着してその中間部をテープ下垂れ防止部により、下から支えられていた部分のテープがテープ一時保持部とテープ切断部との間において、上側に湾曲するように構成されていることを特徴とする。
【００２５】
また、請求項２０に記載の発明は、請求項１乃至１８のテープカッターに係り、
前記テープ接着手前引き出し動作前において、前記テープ下垂れ防止部および前記切断部がテープカッター本体に近接している状態のときは、前記テープ下垂れ防止部の先端は、
前記テープ一時保持部の最上部と前記切断部の最上部を結ぶ直線の下にあり、前記テープ接着手前引き出し後の 動作の直前においては、前記テープ下垂れ防止部の先端は、前記テープ一時保持部の最上部と前記切断部の最上部を結ぶ直線の上にあることを特徴とする。
【００２６】
また、請求項２１に記載の発明は、請求項１９に記載のテープ切断用冶具に係り、
前記テープ保持具に固着された状態で、
前記テープ接着手前引き出し動作前において、前記テープ下垂れ防止部および前記切断部がテープカッター本体に近接している状態のときは、前記テープ下垂れ防止部の先端は、
前記テープ一時保持部の最上部と前記切断部の最上部を結ぶ直線の下にあり、前記テープ接着手前引き出し後の 動作の直前においては、前記テープ下垂れ防止部の先端は、前記テープ一時保持部の最上部と前記切断部の最上部を結ぶ直線の上にあることを特徴とする。
【発明の効果】
【００２７】
請求項１に記載の発明によれば、一般的なテープカッターのようにテープを切断できるとともに、簡単な構造で、簡単な操作により、着実に非接着部分を形成できる安価なテープカッターおよびテープ切断冶具を提供できる。また、請求項１に記載のテープカッターを使用することにより、簡単な操作で、粘着テープに着実に非接着部分を形成でき、非接着部分を有する粘着テープを飲食物保管用の容器等に使用した場合には、貼り付けられた粘着テープを非接着部分を摘んで容易に剥がすことができる。
【００２８】
また、請求項２に記載の発明によれば、テープ切断部の軸部を弾性体により形成することにより、テープを引き出して、非接着部を形成するために指を離した場合に、テープ切断部は自力で元の位置に戻り、テープ切断部の構造が非常にシンプルなものとなる。さらに、非接着部を形成するための操作もシンプルなものとなる。
【００２９】
また、請求項３に記載の発明によれば、テープ下垂れ防止部を弾性体により形成することにより、テープを引き出して、非接着部を形成するために指を離した場合に、テープ下垂れ防止部は自力で元の位置に戻り、テープ下垂れ防止部の構造が非常にシンプルなものとなる。さらに、非接着部を形成するための操作もシンプルなものとなる。
【００３０】
また、請求項４に記載の発明によれば、テープ切断部の軸部とテープ下垂れ防止部とを弾性体により形成することにより、テープを引き出して、非接着部を形成するために指を離した場合に、テープ切断部とテープ下垂れ防止部とは 自力で元の位置に戻り、テープ切断部の構造が非常にシンプルなものとなる。さらに、非接着部を形成するための操作もシンプルなものとなる。
【００３１】
また、請求項５に記載の発明によれば、テープ切断部の軸部を板状または棒状の弾性体により形成することにより、テープを引き出して、非接着部を形成するために指を離した場合に、テープ切断部は自力で元の位置に戻り、テープ切断部の構造が非常にシンプルなものとなる。さらに、非接着部を形成するための操作もシンプルなものとなる。
【００３２】
また、請求項６に記載の発明によれば、テープ切断部の軸部を板バネにより形成することにより、テープを引き出して、非接着部を形成するために指を離した場合に、テープ切断部は自力で元の位置に戻り、テープ切断部の構造が非常にシンプルなものとなる。さらに、非接着部を形成するための操作もシンプルなものとなる。
【００３３】
また、請求項７に記載の発明によれば、テープ下垂れ防止部を板状又は棒状の弾性体により形成することにより、テープを引き出して、非接着部を形成するために指を離した場合に、テープ下垂れ防止部は自力で元の位置に戻り、テープ下垂れ防止部の構造が非常にシンプルなものとなる。さらに、非接着部を形成するための操作もシンプルなものとなる。
【００３４】
また、請求項８に記載の発明によれば、テープ下垂れ防止部を板状バネにより形成することにより、テープを引き出して、非接着部を形成するために指を離した場合に、テープ下垂れ防止部は自力で元の位置に戻り、テープ下垂れ防止部の構造が非常にシンプルなものとなる。さらに、非接着部を形成するための操作もシンプルなものとなる。
【００３５】
また、請求項９に記載の発明によれば、テープ切断部の軸部を板バネ、テープ下垂れ防止部を板バネ又は棒状バネにより形成することにより、テープを引き出して、非接着部を形成するために指を離した場合に、テープ切断部とテープ下垂れ防止部とは自力で元の位置に戻り、テープ切断部の構造が非常にシンプルなものとなる。さらに、非接着部を形成するための操作もシンプルなものとなる。
【００３６】
また、請求項１０に記載の発明によれば、テープ切断部の軸部とテープ下垂れ防止部とを共に板バネにより形成することにより、テープを引き出して、非接着部を形成するために指を離した場合に、テープ切断部とテープ下垂れ防止部とは自力で元の位置に戻り、テープ切断部の構造が非常にシンプルなものとなる。さらに、非接着部を形成するための操作もシンプルなものとなる。
【００３７】
また、請求項１１に記載の発明によれば、
前記テープ下垂れ防止部の先端であって、前記テープ接着手前引き出し動作をすると、引き出されたテープの粘着面に接触・接着する部分は極小であって、前記テープ接着手前引き出し後の動作により前記テープ下垂れ防止部の先端に接触していたテープが上方に湾曲しようとすると、確実に前記接触・接着が分離することにより、確実に、非接着部を作成でき、操作効率が上がる。
【００３８】
また、請求項１２に記載の発明によれば、請求項１乃至１０に記載の発明の効果に加えて、操作の際に指を傷つける恐れもない。
【００３９】
また、請求項１３に記載の発明によれば、請求項１１に記載の発明の効果に加えて、操作の際に指を傷つける恐れもない。
【００４０】
また、請求項１４に記載の発明によれば、請求項１乃至１０に記載の発明の効果に加えて、テープ引き出し操作がより容易になる。
【００４１】
また、請求項１５に記載の発明によれば、請求項１１に記載の発明の効果に加えて、テープ引き出し操作がより容易になる。
【００４２】
また、請求項１６に記載の発明によれば、請求項１２に記載の発明の効果に加えて、テープ引き出し操作がより容易になる。
【００４３】
また、請求項１７に記載の発明によれば、請求項１３に記載の発明の効果に加えて、テープ引き出し操作がより容易になる。
【００４４】
また、請求項１８に記載の発明によれば、請求項１乃至１７に記載の発明の効果に加えて、ストッパー部により、テープ切断部を手前に引き出した場合にテープ一時保持部より一定の距離で確実に止められることにより、常に、一定の大きさの非粘着部を簡易に形成することができる。
【００４５】
また、請求項１９に記載の発明によれば、テープ保持具に請求項１９に記載のテープ切断冶具を装着することにより、簡単な操作により、着実に非接着部分を形成できる。
【００４６】
また、請求項２０に記載の発明によれば、請求項１乃至１８に記載の発明の効果を着実に得られる
【００４７】
また、請求項２１に記載の発明によれば、請求項１９に記載の発明の効果を着実に得られる
【発明を実施するための最良の形態】
【００４８】
以下、図を参照しつつ、発明を実施するための最良の形態につき説明する。
【００４９】
（実施の形態１）
図１は本発明の実施の形態１のテープカッターの 構成を示す斜視図である。図１において、１００はテープカッターである。１０１は回転リールである。１０２は粘着テープ本体である。１０３は回転リール保持部である。１０４は粘着テープ本体より引き出された部分のテープである。１０５はテープ一時保持部である。１０６はテープ下垂れ防止部である。１０７は両端がテープ一時保持部と切断部の上面に一時的に接着している部分のテープである。１０８は切断部の切断刃部である。１１１は切断部である。１１０は切断部１１１の軸部である。１０９はとめ金具である。本実施の形態１の場合の止め具はねじであるが、他の方法で留めてもよい。
実施の形態１のテープカッターでは、切断部１１１の軸部１１０とテープ下垂れ防止部１０６は板バネで形成されている。実施の形態１のテープカッターは、切断刃部１０８の上に保護部や、指止め部がない、最もシンプルなテープカッターである。テープカッターの動作、使用方法についての説明は、次の、実施の形態２のテープカッターと同様である。
【００５０】
（実施の形態２）
図２は、本発明の実施の形態２のテープカッターの 構成を示す斜視図である。実施の形態２のテープカッターは実施の形態１のテープカッターのテープ切断部１１１に切断刃部１０８の上に保護部を加えた構成となっている。図２において、１１２は保護部である。他の部分については、図１と同じであるので説明は省略する。
本発明の実施の形態２のテープカッターにおいても、切断部１１１の軸部１１０とテープ下垂れ防止部１０６は板バネで形成されている。
以下、実施の形態２のテープカッターに基づいて、テープカッターの構成と動作について説明する。
【００５１】
図３乃至１０は本発明の実施の形態２のテープカッターを使用する様子と、テープカッターの各部の動きを横方向から見た側面図である。
図３の(a)は実施の形態２のテープカッターの使用を開始するときの 状態を示す側面図である。図３の(a)において、３A、３B、３Cは引き出されたテープの位置関係を説明するために、それぞれのテープの位置を示す記号である。３Aは引き出されたテープ上のポイントを示す。３Bはテープ一時保持部上のポイントを示す。３Cはテープの先端であって、保護部に接着しているポイントを示す。３Bは３Aと３Cを結ぶ直線の下に位置する。この関係を具備することによって、テープは一時保持部１０５に接着しないので、指で保護部を摘み手前に引き出す動作によって、テープがスムーズに引き出される。図３の(b)は(a)のテープ一時保持部の周辺の拡大図である。図３の(b)において、３０２はテープ一時保持部１０５とテープの間隙を示す。この間隙により、テープをスムーズに引き出すことが可能となる。また、３０１は３Cと３Bを結ぶ直線である。テープ下垂れ防止部１０６の先端は直線３０１の下方に位置する。この位置関係も、テープをスムーズに引き出すことを可能とする条件である。
【００５２】
図４は、図３の状態から、保護部に指を押し付けてテープを摘み、引き出そうとする様子を示す側面図である。図３において説明したように、この時点ではテープは一時保持台１０５に接着していない。４０１はテープが一時保持部１０５に接着していない様子を示している。実施の形態２のテープカッターの場合には保護部１１２が存在することにより、指が切断刃部１０８に強く接触することはなく指を傷つけることはない。しかし、保護部１１２のない実施の形態１のテープカッターの場合であっても、指を切断刃部１０８の刃先を避けてテープ一時保持部側の肩の部分にあてれば、指を傷つけることはない。幼児や、お年寄りのように微妙な動作を期待することが困難な場合には、保護部１１２を有する実施の形態２のテープカッターが適している。
【００５３】
図５の(a)は図４の状態で保護部に指を押し付けてテープを摘み、引きだした状態を示す側面図である。５Aはテープの粘着面とテープ一時保持部が接触しているポイントである。５Bはテープとテープ下垂れ防止部が接触しているポイントである。５Cは指と保護部１１２でテープを挟んでいるポイントを示す。重要な点は、５Bは５Aと５Cを結ぶ直線の上側に位置していることである。この位置関係により、テープは上方に湾曲し、テープ下垂れ防止部はテープを下から支える関係となる。５０１は、テープ下垂れ防止部１０６がテープを持ち上げている様子を示す。ただし、前記５A、５Bと５Cの位置関係は、最初の図３の状態から、切断部１１１の軸１１０が円弧を描いて湾曲することにより必然的に成立する。図５の(b)は、図５の(a)のテープ一時保持部１０５の周囲の拡大図である。５０２は５Aと５Cを結ぶ直線である。テープ下垂れ防止部１０６の先端である５Bは直線５０２の上方に位置する。このように上方に位置することにより、テープが下に垂れることを防止するとともに、次に、指を離したときに、テープが上方に湾曲することを確実にする。
【００５４】
図６は、図５の状態で、指を離したときのテープの変化の様子を示す側面図である。６０１は引き出されたテープの切断端とテープ一時保持部に接触していた間のテープが上方に湾曲している様子を示している。この上方に湾曲するという点が重要であり、このことによって初めてテープの粘着面同士が接着して、非接着部を形成することが可能となる。本実施形態２のテープカッターでは、確実に上方に湾曲する。その理由は、図５で説明したように、図５のポイント５Bはポイント５Aとポイント５Cを結ぶ直線の上方にあることにより、テープはすでに、この状態で、上側に湾曲しているからであり、このように湾曲している状態でポイント５Aとポイント５Cが接近すれば、テープは確実に図６の６０１に示されるように上側にさらに湾曲するわけである。逆に、テープ下垂れ防止部１０６が存在しない場合には、テープは、下に湾曲し易くなってしまう。その理由は、テープ一時保持部１０５と指と保護部で挟まれた間のテープは重力で微小ではあるが下側に湾曲し、この状態で、ポイント５Aとポイント５Cが接近すれば、テープは必然的に下側に湾曲してしまうわけである。
【００５５】
図７は図６の状態で指を離し、テープに非接着部が形成された様子を示す側面図である。
実際に実施の形態２のテープカッターを使用して、図３から図６までの操作をした結果、着実に非粘着部を形成することができた。逆に、テープ下垂れ防止部１０６を設置しないテープカッターでは、テープが湾曲しないか、または湾曲しても、下側に湾曲してしまう確率のほうが高いという結果を確認した。
【００５６】
図８はテープの湾曲した非粘着部を指で摘む様子を示す側面図である。
【００５７】
図９は指で摘んだ非粘着部を引っ張ってテープをリールから引き出している様子を示す側面図である。
【００５８】
図１０は引き出したテープを切断部１１１の切断刃部１０８に当てて、テープを切断する様子を示す側面図である。テープが切断された後は、図３の状態に戻る。これで、一連の動作が完了する。
【００５９】
（実施の形態２の効果）
実施の形態２のテープカッターによれば、一般的なテープカッターのようにテープを切断できるとともに、数回程度、該テープカッターを使用することにより、容易に、操作方法に慣れることができ、容易に非粘着部を有するテープを作成することができる。また、切断部とテープ下垂れ防止部の構造は非常にシンプルであり、低廉なコストで実施の形態２のテープカッターを製造することが可能である。また、非粘着部を有するテープを作成するばかりではなく、そのまま、通常のテープカッターとしても、全く問題なく使用できる。よって、実施の形態２のテープカッターはコンビニやスーパー等の店舗で販売されている弁当等の食品の容器に粘着テープを張る場合をはじめ、粘着テープを使用する、ありとあらゆる場合に広く活用できる。
【００６０】
（実施の形態３）
図１１は実施の形態３のテープカッターの構成を示す斜視図である。該テープカッターは実施の形態２のテープカッターの切断刃部１０８の下に、指止め部を形成したものである。１００１は指止め部である。テープを保護部１１２にあてた場合に他方の指をこの指止め部にあてて、テープをより引き出し易くするためのものである。
【００６１】
（実施の形態４）
図１２は実施の形態４のテープカッターの構成を示す斜視図である。該テープカッターは実施の形態２のテープカッターの切断刃部１０８の下に、ストッパー部を取り付けたものである。１２０１はストッパー部である。このストッパー部により、テープ切断部を手前に引き出した場合に、テープ一時保持部より一定の距離で止まり、安定して、一定の長さの非粘着部を形成することができる。このストッパー部は保護部を有する実施の形態３のテープカッターに取り付けてもよい。
【図面の簡単な説明】
【００６２】
【図１】実施の形態１のテープカッターの構成を示す斜視図である。
【図２】実施の形態２のテープカッターの構成を示す斜視図である。
【図３】実施の形態２のテープカッターの使用を 開始するときの状態を示す側面図である。
【図４】図３の状態から、保護部に指を押し付けてテープを摘み、引き出そうとする様子を示す側面図である。
【図５】図４の状態で保護部に指を押し付けてテープを摘み、引きだした状態を示す側面図である。
【図６】図５の状態で、指を離したときのテープの変化の様子を示す側面図である。
【図７】図６の状態で指を離し、テープに非接着部が形成された様子を示す側面図である。
【図８】テープの湾曲した非粘着部を指で摘む様子を示す側面図である。
【図９】指で摘んだ非粘着部を引っ張ってテープをリールから引き出している様子を示す側面図である。
【図１０】引き出したテープを切断部１１１の切断刃部１０８に当てて、テープを切断する様子を示す側面図である。
【図１１】実施の形態３のテープカッターの 構成を示す斜視図である。
【図１２】実施の形態４のテープカッターの 構成を示す斜視図である。
【符号の説明】
【００６３】
１００      テープカッター
１０１      回転リール保持部
１０２      粘着テープ本体
１０３      回転リール保持部
１０４      粘着テープ本体より引き出された 部分のテープ
１０５      テープ一時保持部
１０６      テープ下垂れ防止部
１０７      両端がテープ一時保持部と切断部の上面に一時的に接着している部分のテープ
１０８      切断刃部
１０９      とめ金具
１１０      切断部の軸部
１１１      切断部
１１２      保護部
４０１      テープが一時保持部に接着していない様子
５０１      テープ下垂れ防止部１０６がテープを持ち上げている様子
５０２      ５Aと５Cを結ぶ直線
６０１      引き出されたテープの切断端とテープ一時保持部に接触していた間のテープが上方に湾曲している様子
１００１    指止め部
１２０１    ストッパー部
【図１】
2006290531.tif 000003
【図２】
2006290531.tif 000004
【図３】
2006290531.tif 000005
【図４】
2006290531.tif 000006
【図５】
2006290531.tif 000007
【図６】
2006290531.tif 000008
【図７】
2006290531.tif 000009
【図８】
2006290531.tif 000010
【図９】
2006290531.tif 000011
【図１０】
2006290531.tif 000012
【図１１】
2006290531.tif 000013
【図１２】
2006290531.tif 000014